(57)【要約】【課題】１枚のシートに複数の静止画像を並べてプリントするシートの作成等に好適するレイアウト情報記録可能なカメラを提供する。【解決手段】本発明の一態様によると、１枚のシートに複数の静止画像を並べてプリントするために使用されるレイアウト情報を記録可能なカメラにおいて、被写体像を光電変換する撮像部と、上記撮像部からの被写体の画像信号を処理する信号処理回路と、上記信号処理回路からの被写体信号を記録する画像メモリと、撮影終了後に編集情報を入力するための編集情報入力手段と、上記編集情報入力手段で入力された各駒に対応した編集情報を記憶しておく編集情報メモリと、を具備することを特徴とするレイアウト情報記録可能なカメラが提供される。【選択図】図１
2005292826.tif 000002
【特許請求の範囲】
【請求項１】
１枚のシートに複数の静止画像を並べてプリントするために使用されるレイアウト情報を記録可能なカメラにおいて、
被写体像を光電変換する撮像部と、
上記撮像部からの被写体の画像信号を処理する信号処理回路と、
上記信号処理回路からの被写体信号を記録する画像メモリと、
撮影終了後に編集情報を入力するための編集情報入力手段と、
上記編集情報入力手段で入力された各駒に対応した編集情報を記憶しておく編集情報メモリと、
を具備することを特徴とするレイアウト情報記録可能なカメラ。
【請求項２】
１枚のシートに複数の静止画像を並べてプリントするために使用されるレイアウト情報を記録するレイアウト情報記録方法において、
被写体像を光電変換する段階と、
上記光電変換された被写体の画像信号を画像処理する段階と、
上記画像処理された被写体信号を画像メモリに記録する段階と、
撮影終了後に編集情報を入力する段階と、
上記入力された編集情報を編集情報メモリに記憶する段階と、
を具備することを特徴とするレイアウト情報記録方法。
【発明の詳細な説明】
【技術分野】
【０００１】
本発明は、アルバムシートの作成等に好適するレイアウト情報記録可能なカメラ及びレイアウト情報記録方法に係り、特に、電子映像手段と結合した編集機能を用いたレイアウト情報記録可能なカメラ及びレイアウト情報記録方法に関するものである。
【背景技術】
【０００２】
近年、銀塩フィルムを用いたカメラと電子映像装置とを結合させ、撮影した被写体画像をその場で確認することができるカメラが種々、提案されている。
【０００３】
例えば、特許文献１には、シャッタ閉時にはハーフミラーで光束をファインダ光学系へ分岐し、シャッタ開時にはハーフミラーを回動して光束を撮像素子と感光材料へ分岐させることにより、撮影時の被写体像を即時に確認できるようにしたカメラが提案されている。
【０００４】
また、特許文献２には、光学レンズの光軸と交差するようにハーフミラーを設け、このハーフミラーの透過光と反射光のうちの一方を銀塩フィルム上に導くと共に、他方を電子撮像手段に導くことにより銀塩フィルムに形成された画像そのものをその場で確認できるようにしたカメラが提案されている。
【特許文献１】特開平１−１３３０３８号公報
【特許文献２】実開昭６３−１２０２４１号公報
【発明の開示】
【発明が解決しようとする課題】
【０００５】
しかしながら、上記特許文献１、及び、特許文献２にて提案されている手法では、撮影時の被写体像を即時に確認できるが、撮影した駒の編集、例えば、１枚のシートに複数の静止画像を並べてプリントするシート上での撮影駒の並び換えなどの手段は有していなかった。
【０００６】
従って、従来通り、現像済フィルムをプリントした後に、それらプリントを選別して手作業でアルバムシートに貼る必要があるため、ユーザの意図するアルバムが容易に作成できるものではなかった。
【０００７】
そこで、本発明は、上記課題に鑑みてなされたものであり、１枚のシートに複数の静止画像を並べてプリントするシートの作成等に好適するレイアウト情報記録可能なカメラ及びレイアウト情報記録方法を提供することを目的とする。
【課題を解決するための手段】
【０００８】
本発明によると、上記課題を解決するために、
（１）  １枚のシートに複数の静止画像を並べてプリントするために使用されるレイアウト情報を記録可能なカメラにおいて、
被写体像を光電変換する撮像部と、
上記撮像部からの被写体の画像信号を処理する信号処理回路と、
上記信号処理回路からの被写体信号を記録する画像メモリと、
撮影終了後に編集情報を入力するための編集情報入力手段と、
上記編集情報入力手段で入力された各駒に対応した編集情報を記憶しておく編集情報メモリと、
を具備することを特徴とするレイアウト情報記録可能なカメラが提供される。
【０００９】
また、本発明によると、上記課題を解決するために、
（２）  １枚のシートに複数の静止画像を並べてプリントするために使用されるレイアウト情報を記録するレイアウト情報記録方法において、
被写体像を光電変換する段階と、
上記光電変換された被写体の画像信号を画像処理する段階と、
上記画像処理された被写体信号を画像メモリに記録する段階と、
撮影終了後に編集情報を入力する段階と、
上記入力された編集情報を編集情報メモリに記憶する段階と、
を具備することを特徴とするレイアウト情報記録方法が提供される。
【発明の効果】
【００１０】
以上のような本発明によれば、１枚のシートに複数の静止画像を並べてプリントするシートの作成等に好適するレイアウト情報記録可能なカメラ及びレイアウト情報記録方法を提供するができる。
【発明を実施するための最良の形態】
【００１１】
以下、図面を参照して本発明の実施の形態について説明する。                        図１は、本発明に係る第１実施形態に用いられるレイアウト情報記録可能なカメラの構成を示す図である。
【００１２】
このレイアウト情報記録可能なカメラは、撮影レンズ１、絞り兼用のシャッタ２、このシャツタ２を開閉させるシャッタ制御部３、銀塩フィルム４に塗布された磁気記録層に情報を記録するための磁気ヘッド等から成る磁気記録部５、上記銀塩フィルム４面にピントを合わせるために上記撮影レンズ１を駆動するレンズ制御部６から構成される。
【００１３】
さらに、上記カメラは、撮影レンズ１とは別に設けられた撮像用のレンズ７、ＣＣＤやＭＯＳ等から成る撮像部８、この撮像部８にピントを合わせるために上記レンズ７を駆動するレンズ制御部９、上記撮像部８からの被写体の画像信号を処理する信号処理回路１０、この信号処理回路１０からの被写体像信号を記憶するメモリ１１、上記撮像部８から出力される被写体像信号または上記メモリ１１に記憶された被写体像信号をモニタ上に表示するための再生回路１２、この再生回路１２から出力される信号を表示する液晶表示装置  （以下ＬＣＤと記す）やＣＲＴ等から成る画像モニタ１３、さらに、銀塩フィルム４の撮影終了後に編集情報を入力するための編集情報入力部１４、各駒のレイアウトに関する機能を記憶している編集機能メモリ１５、この編集機能メモリ１５中の編集モードを選んで入力する編集モード入力回路１６、上記編集情報入力部１４で入力された各駒に対応した編集情報を記憶しておく編集情報メモリ１７、このカメラ全体の動作の制御を行うマイクロコンピュータ等から成る制御回路１８から構成されている。
【００１４】
なお、上記編集情報は、不図示のカメラスイッチ、例えば、トリミングスイッチ等のキー入力情報や日付情報、露出情報等の編集にあたって使用される情報である。
【００１５】
また、上記編集機能メモリ１５は、編集機能に関する制御プログラムが記憶されているものであり、例えば、ＩＣカード、ＲＯＭパック、光カード、光磁気カード、バーコード等である。
【００１６】
次に、本第１実施形態のレイアウト情報記録可能なカメラの動作について説明する。    図２は、第１実施形態のカメラの動作について説明するために示すフローチャートである。
【００１７】
まず、ユーザは画像モニタ１３を使って被写体像を確認する。撮像部８上の被写体像は光電変換されて信号処理回路１０に送られる。
【００１８】
この信号処理回路１０からの出力信号のコントラスト信号に基づいて、制御回路１８はレンズ制御部９を介してレンズ７を駆動し、撮像部８上にピントを合わせる（ステップＳ１）。
【００１９】
次に、レリーズスイッチ（不図示）を押して撮影動作に入ると、レンズ制御部６はレンズ７の駆動量に対応した量だけ、撮影レンズ１を駆動して銀塩フィルム４上にピントを合わせる。
【００２０】
次に、制御回路１８はシャッタ制御部３を介してシャッタ２を所定時間だけ開口する  （ステップＳ２）。
【００２１】
同時に、銀塩フィルム４に露光するタイミングと同じタイミングで、制御回路１８は被写体像信号をメモリ１１に記憶し、ここに記憶された被写体像信号は画像モニタ１３上に静止画像として表示される（ステップＳ３）。
【００２２】
図３は、このときの画像モニタ１３上に表示される静止画像の一例を示す図であり、この画像モニタ１３に使用されているＬＣＤの１画面が、後述するアルバムシート１枚に相当する。
【００２３】
このアルバムシート１枚は、画面を６分割しており、それぞれに写真１駒が対応している。
【００２４】
つまり、Ａが１駒目、Ｂが２駒目、Ｃが３駒目、Ｄが４駒目、Ｅが最新の５駒目であり、Ｆには現在の被写体像が動画表示されている。
【００２５】
続いて、編集情報の入力を行う。例えば、最新の５駒目をアルバムシート上のＥの位置に配置したくない場合、キー操作（不図示）により、この５駒目を希望の位置に移動する等の入力を行う（ステップＳ４）。
【００２６】
この編集情報入力が終了すると、制御回路１８はフィルム給送を開始させ（ステップＳ５）、アルバムシート上のレイアウト位置等の上記編集情報を磁気記録部５により銀塩フィルム４の磁気記録層に記録させる（ステップＳ６）。
【００２７】
なお、本第１実施形態では、画像モニタ１３のＬＣＤの画面を６分割して表示していたが、ＬＣＤの画面の分割数については、それより多い分割数、または、少ない分割数としても良いし、通常撮影時は分割せず現在の被写体像を大きく全画面で表示しておいて、編集情報入力時のみ分割画面に切り換えても良い。
【００２８】
次に、本発明に係る第１実施形態のラボラトリ等にてプリント処理を行うレイアウト情報を用いたプリント装置について説明する。
【００２９】
図４は、第１実施形態のレイアウト情報を用いたプリント装置の構成を示す図である。  このプリント装置は、現像処理済みの銀塩フィルム１９の磁気記録層に記録された編集情報を読み取る磁気読取回路２０、フィルム給送部２１、銀塩フィルム１９のＩＳＯ感度等を検出するフィルム情報検出回路２２、プリント露光のための赤（Ｒ）、緑（Ｇ）、青（Ｂ）のランプ２３、上記フィルム情報検出回路２２の情報に基づいて上記ランプ２３を制御する光源制御回路２４、上記ランプ２３の光を集光するレンズ２５、上記銀塩フィルム１９の１駒分の開口を有するマスク２６、上記銀塩フィルム１９を通過した光を印画紙２７へ導くレンズ２８、写真１駒分の開口を有するマスク２９、上記印画紙２７のサイズや、感光度等を読み取る印画紙情報読取回路３０、印画紙２７をＸ、Ｙ方向に移動し、所定の位置にて露光するように制御する印画紙制御部３１、このプリンタ装置全体の動作の制御を行うプリンタ制御回路３２から構成される。
【００３０】
次に、第１実施形態のレイアウト情報を用いたプリント装置の動作について説明する。  図５は、第１実施形態のレイアウト情報を用いたプリント装置におけるプリント処理の動作を示すフローチャートである。
【００３１】
プリント制御回路３２は、磁気読取回路２０によって読み取られる銀塩フィルム１９の磁気記録層に記録された編集情報に基づいて、印画紙２７上の指定位置に１駒がプリントされるように、印画紙制御部３１により印画紙２７を移動させ、プリント位置を決定する（ステップＳ７）。
【００３２】
続いて、プリント制御回路３２は、光源制御回路２４によりランプ２３のＲ、Ｇ、Ｂの各々の発光時間を制御させ、１駒分露光させる（ステップＳ８）。
【００３３】
さらに、プリント制御回路３２は、フィルム給送部２１により銀塩フィルム１９を給送させ（ステップＳ９）、次の駒も同様に、次の印画紙２７上の指定位置にて露光させる。  そして、全駒の露光が終了したら（ステップＳ１０）、プリント制御回路３２は、フィルム給送部２１を介して銀塩フィルム１９をパトローネ内に巻き戻させ（ステップＳ１１）終了する。
【００３４】
以上のようにして、本プリント装置にてプリントしたのが、図６に示すアルバムシートである。
【００３５】
次に、第１実施形態のレイアウト情報記録可能なカメラにおける編集情報入力のアルバムシートの編集例について説明する。
【００３６】
図７は、上記編集例についての処理を説明するために示すフローチャートである。
【００３７】
上述した図２に示したフローチャートにおける編集情報入力は、１駒撮影後、その都度その場にて、アルバムシート上にその駒のレイアウト位置を入力していた。
【００３８】
しかし、フィルム１本全部の撮影が終了した後、まとめて全駒各々のレイアウト位置を指定入力することも可能であり、この編集例の処理を示すのがこの図７のフローチャートである。
【００３９】
まず、制御回路１８は、メモリ１１内に記憶された被写体像信号を呼び出し（ステップＳ１２）、画像モニタ１３の画面分割数に応じた駒数を該画像モニタ１３のＬＣＤに表示させる（ステップＳ１３）。これが、アルバムシート１頁に相当する。
【００４０】
次に、上述した図２に示したフローチャートにおける編集情報入力と同様に、ユーザにより移動目的の駒がアルバムシート上の希望とされるレイアウト位置に移動される。
【００４１】
そして、このレイアウト位置の編集情報は、一旦、メモリ１１に記憶される（ステップＳ１４）。
【００４２】
次に、アルバムシート次頁目に相当する駒数を表示し、同様にレイアウト位置を指定入力する。
【００４３】
このようにして、全駒のレイアウト位置の指定入力が終了したら（ステップＳ１５）、制御回路１８は先程記憶したメモリ１１内のレイアウト位置の編集情報を銀塩フィルム４を給送させながら（ステップＳ１６）、磁気記録部５により、順次、対応した駒の磁気記録層に記録させる（ステップＳ１７）。
【００４４】
この磁気記録終了後、銀塩フィルム４を巻き戻し（ステップＳ１８）、本処理を終了させる。
【００４５】
なお、本編集例では、ユーザが全撮影駒について全てマニュアルでレイアウト位置を指定していたが、撮影された順番にアルバムシート上に自動的にレイアウト位置を決定していくような自動レイアウトを設定できるようにしておいて、自動的に銀塩フィルム４の各駒の磁気記録層にレイアウト位置の編集情報を磁気記録するようにしても良い。
【００４６】
また、銀塩フィルム４の各駒の磁気記録層にレイアウト位置の編集情報を記録する代りに、当該フィルムの１駒目より前のフィルムの先頭部分に自動レイアウトであることを指定する情報を記録しておけば、ラボラトリではそのフィルムは自動レイアウト指定のフィルムであると確認し、ラボラトリでは撮影順番通りに自動レイアウトすることも可能である。
【００４７】
また、上記自動レイアウトでも不要な駒を指定し、銀塩フィルム４のその駒の磁気記録層に削除の情報を磁気記録しておけば、その駒を除外して自動レイアウトするようにすることも可能である。
【００４８】
このように、自動レイアウトの場合は、本第１実施形態の電子映像部分であるレンズ７、レンズ制御部９、撮像部８、信号処理回路１０、メモリ１１、再生回路１２、画面モニタ１３は無くても良く、通常の銀塩フィルムを用いるカメラの構成と磁気記録部のみでもレイアウト位置の編集情報は記録可能である。
【００４９】
また、図６に示したアルバムシートは片面プリントであるが、両面プリントにすることも可能である。
【００５０】
次に、本発明に係る第１実施形態のレイアウト情報記録可能なカメラ及びそのレイアウト情報を用いたプリント装置におけるアルバムシートの編集例について、図８を用いて説明する。
【００５１】
図８の（ａ）は、撮影駒が縦位置、横位置に混在している場合のアルバムシートの編集例を示す図である。
【００５２】
１本のフィルム中の撮影駒が縦位置や横位置に混在している場合は、所定駒数を１枚のアルバムシートにレイアウトしたとき、ある撮影駒の写真がアルバムシートからはみ出してしまうような場合が生じる。
【００５３】
このような場合は、プリンタ装置で自動的に縦位置の写真、または、横位置の写真、または、両方の写真のプリント倍率を変えて１枚のアルバムシートに適格に納まるようにする。
【００５４】
図８の（ｂ）は、アルバムシートのサイズや、１冊のアルバムとして綴じるための穴径や、穴位置等を市販のアルバムメーカ、例えば、ナカバヤシ社製の“フエルアルバム（登録商標）”等のフォーマットに合わせた場合の編集例を示す図である。
【００５５】
図８の（ｃ）は、写真１駒ごとに切り離せるように、ミシン目をアルバムシートに入れた編集例を示す図である。
【００５６】
この編集例によれば、同じ駒を複数個レイアウト指定しておけば、同じ写真を複数枚採取することができ、焼増しと同様に使用することができる。
【００５７】
図８の（ｄ）は、アルバムシートとしてプリントするときに、ラボラトリにて駒画面外に日付をプリントした編集例を示す図である。
【００５８】
なお、この編集例は１駒１枚づつの写真の画面内に日付を入れるのと異なり、駒画面外の余白部を有効に利用することができる。また、このとき、日付以外のコメント等を入れることも可能である。
【００５９】
さらに、レイアウト位置の編集情報以外の撮影情報を各駒の磁気記録層に記録しておき、それら種々のデータをバーコードでプリントして置き、利用することもできる。
【００６０】
図８の（ｅ）は、図８の（ｃ）にて示した例では各写真１駒づつが台紙ごとにミシン目で切り離せるようにしていたが、本編集例は各写真１駒ごとを台紙からはがせるようなシール状にした編集例を示す図である。
【００６１】
よって、この編集例によれば、各写真１駒ごとが台紙からはがせるようなシール状になっているので、アルバムシートからはがして他の物に自由に貼る等に利用することができる。
【００６２】
以上説明したように、本第１実施形態によれば、ユーザがアルバム作成後の写真駒の入れ換え等のレイアウト変更を特別な装置を用いることなく、ユーザ自身によって行うことができると共に、プリントする前にアルバムシート上のレイアウトを確認することができる。
【００６３】
なお、本第１実施形態によれば、アルバムシート１枚の形にて編集していたが、数頁綴じた１冊のアルバムの形で編集してユーザに戻しても良い。
【００６４】
また、アルバムシート１頁の数倍の大きさの印画紙に焼きつけて、それを折りたたむことで、１冊のアルバムをつくるようにしても良い。
【００６５】
さらに、ラボラトリにおいてアルバムシートを作成していたが、ラボラトリに限らず、ビデオプリンタ等に代表される家庭用のプリンタを用いて、銀塩画像→電子画像信号→紙へのプリントの流れで、家庭においても同様の処理を行うことができる。
【００６６】
また、電子画像を記憶している上記メモリ１１から直接プリントすることも可能である。  次に、本発明に係る第２実施形態の現像済フィルムから写真を編集するレイアウト情報を用いたプリント装置について説明する。
【００６７】
図９は、第２実施形態のレイアウト情報を用いたプリント装置の構成を示す図である。  このプリント装置は、現像処理済みの銀塩フィルム１９を照射する光源３３、この光源３３を制御する光源制御回路３４、銀塩フィルム１９を介した光を集光するレンズ３５、ＣＣＤ等から成る撮像部８、上記撮像部８からの被写体の画像信号を処理する信号処理回路１０、被写体像信号を記憶するメモリ１１、上記撮像部８に入射する被写体像信号または上記メモリ１１に記憶された被写体像信号をモニタ上に表示するための再生回路１２、この再生回路１２から出力される信号を表示する液晶表示装置（以下ＬＣＤと記す）やＣＲＴ等から成る画像モニタ１３、さらに、銀塩フィルム１９に塗布された磁気記録層に情報を記録するための磁気ヘッド等から成る磁気記録部５、この磁気記録層に記録された編集情報を読み取る磁気読取回路２０、銀塩フィルム１９を給送するフィルム給送部２１から構成される。
【００６８】
さらに、このプリント装置は、撮影終了後に編集情報を入力するための編集情報入力部１４、各駒のレイアウトに関する機能を記憶している編集機能メモリ１５、上記編集情報入力部１４で入力された各駒に対応した編集情報を記憶しておく編集情報メモリ１７、トリミング、日付等の後処理情報を入力するための後処理情報入力部３６、このプリント装置全体の動作の制御を行うマイクロコンピュータ等から成る制御回路１８から構成されている。
【００６９】
なお、上記編集情報は、不図示のカメラスイッチ、例えば、トリミングスイッチ等のキー入力情報や日付情報、露出情報等の編集にあたって使用される情報である。
【００７０】
また、上記編集機能メモリ１５は、編集機能に関する制御プログラムが記憶されているものであり、例えば、ＩＣカード、ＲＯＭパック、光カード、光磁気カード、バーコード等である。
【００７１】
次に、第２実施形態のレイアウト情報を用いたプリント装置の動作について説明する。  この第２実施形態のレイアウト情報を用いたプリント装置の動作は、基本的には第１実施形態の図２および図７に示したフローチャートとほぼ同じであるが、さらに詳細に説明する。
【００７２】
図１０は、第２実施形態のレイアウト情報を用いたプリント装置において、ユーザが好みのレイアウトでアルバムシートを作成するマニュアルレイアウトの場合の編集作業処理を説明するために示すフローチャートである。
【００７３】
ラボラトリより返却されたパトローネ入りの現像済の銀塩フィルム１９を本プリント装置にセットする。
【００７４】
まず、制御回路１８は、光源制御回路３４により光源３３をオンし（ステップＳ２１）、フィルム給送部２１により銀塩フィルム１９を給送し（ステップＳ２２）、磁気読取回路２０により１駒目の磁気情報を読み取って記憶しておく（ステップＳ２３）。
【００７５】
次に、制御回路１８は、上記光源３３で照射された画像をレンズ３５を介して、撮像部８にて電気信号に変換させ、信号処理回路１０、再生回路１２により上記画像を画像モニタ１３に再生させる（ステップＳ２４）。
【００７６】
ユーザにより、この再生された画像がレイアウト変更を目的とする画像か否かが判断され（ステップＳ２５）、目的の画像でなければメモリ１１に格納後（ステップＳ３４）、ステップＳ２２へ戻り次の駒に進む。
【００７７】
一方、目的の画像であれば、次に、レイアウト以外の後処理情報、例えば、トリミング、日付、露出補正、色補正等の書き換えを行うか否かが判断され（ステップＳ２６）、書き換えを行う場合にはステップＳ３６へ移行し、書き換えを行わない場合にはステップＳ２７へ移行する。
【００７８】
まず、後処理情報の書き換えを行う場合のステップ３６からステップＳ４１までの処理について説明する。
【００７９】
制御回路１８は先に読み取った旧後処理情報を文字情報として画像モニタ１３に画像と合わせて表示させ（ステップＳ３６）、書き換えを行う場合にはステップＳ３８へ移行し、書き換えを行わない場合にはステップＳ２７へ移行する。
【００８０】
ステップＳ３８では、ユーザは書き換え情報をキーボードやマウス（不図示）等で指定し、新たな後処理情報として入力する（ステップＳ３８）。
【００８１】
入力が終了すると、制御回路１８は、フィルム給送部２１により銀塩フィルム１９を給送させながら（ステップＳ３９）、入力された後処理情報を磁気記録部５により上記銀塩フィルム１９の磁気記録層に磁気記録させる（ステップＳ４０）。
【００８２】
後処理情報の書き換えが終了したときにはステップＳ２７へ移行し、終了していないときはステップＳ３６へ戻る（ステップＳ４１）。
【００８３】
次に、後処理情報の書き換えを行わない場合のステップ２７からステップＳ３２までの処理について説明する。
【００８４】
ユーザによりアルバムシート上のレイアウト変更を行うか否かが判断され（ステップＳ２７）、レイアウト変更を行わない場合にはそのデータをメモリ１１に格納後（ステップＳ３５）、ステップＳ２２へ戻る。
【００８５】
一方、レイアウト変更を行う場合には、そのデータを一度、メモリ１１に格納し（ステップＳ２８）、このデータを用いて１駒画像を画像モニタ１３上でキーボードやマウス  （不図示）等を用いて希望する位置まで移動させる（ステップＳ２９）。
【００８６】
図１１は、このときの画像モニタ１３上の様子について説明するために示す図である。  なお、ここでは、移動前に１駒画像分のデータをメモリ１１に格納しているが、信号処理回路１０からの画像信号が画像モニタ１３上の希望の位置にくるように再生回路１２で偏移処理して表示しておいて、後でメモリ１１に格納するようにしても良い。
【００８７】
続いて、レイアウト位置が決定したら（ステップＳ３０）、制御回路１８は、フィルム給送部２１により銀塩フィルム１９を給送させながら（ステップＳ３１）、レイアウト変更後の編集情報を磁気記録部５により上記銀塩フィルム１９の磁気記録層に記録させる  （ステップＳ３２）。
【００８８】
続けて編集を行う場合は次の駒に進むためにステップＳ２２へ戻り、編集を行わない場合には本処理を終了する（ステップＳ３３）。
【００８９】
次に、第２実施形態のレイアウト情報を用いたプリント装置における自動レイアウトの編集作業について説明する。
【００９０】
図１２は、第２実施形態のレイアウト情報を用いたプリント装置における自動レイアウトの編集作業処理を説明するために示すフローチャートである。
【００９１】
この自動レイアウトは、ユーザが各駒のレイアウトを全て指示しなくても、自動的にレイアウト情報を磁気記録していく場合である。
【００９２】
例えば、駒画像を撮影順にアルバムシート上に左上からレイアウトしていくなどの決まりに従ってレイアウトする場合である。
【００９３】
現像済の銀塩フィルム１９をセット後、制御回路１８は、光源制御回路３４により光源３３をオンする（ステップＳ５１）。
【００９４】
次に、銀塩フィルム１９中の全ての駒を自動レイアウトする全自動レイアウトか否かが判断され（ステップＳ５２）、全自動レイアウトの場合には、制御回路１８は、フィルム給送部２１により銀塩フィルム１９を給送させながら（ステップＳ６０）、全ての駒に対応する上記銀塩フィルム１９の磁気記録層に編集情報を磁気記録部５により一括して磁気記録させて（ステップＳ６１）、本処理を終了する。
【００９５】
一方、全自動レイアウトでない場合には、すなわち、全ての駒をレイアウトせず、不要な駒を削除して自動レイアウトする場合には、制御回路１８は、フィルム給送部２１により銀塩フィルム１９を給送し（ステップＳ５３）、磁気読取回路２０により１駒目の磁気情報を読み取り記憶しておく（ステップＳ５４）。
【００９６】
次に、制御回路１８は、上記光源３３で照射された画像をレンズ３５を介して、撮像部８にて電気信号に変換させ、信号処理回路１０、再生回路１２により上記画像を画像モニタ１３に再生させる（ステップＳ５５）。
【００９７】
ユーザにより、この再生された画像が削除を行う画像か否かが判断され（ステップＳ５６）、削除を行わない画像であればステップＳ５２へ戻り、次の駒に進む。
【００９８】
一方、削除を行う画面であれば、制御回路１８は銀塩フィルム１９を給送させながら  （ステップＳ５７）、銀塩フィルム１９のその駒の磁気記録層に削除のデータを磁気記録部５により磁気記録させる（ステップＳ５８）。
【００９９】
次に、上記自動レイアウトが終了か否かが判断され（ステップＳ５９）、終了でない場合はステップ５３へ戻り、次の駒へ進み、終了の場合は本処理を終了させる。
【０１００】
以上説明したように、本第２実施形態では、プリントする前にアルバムシート上のレイアウトを確認することができる。
【０１０１】
なお、本第２実施形態では、マニュアルレイアウトの場合と自動レイアウトの場合の処理を示したが、フィルム１本の途中でマニュアルレイアウトから自動レイアウトに切り換えて作業することも可能である。
【０１０２】
また、本第２実施形態では、メモリ１１を用いて画像モニタ１３上のアルバムシート枠内に銀塩フィルム１９の複数の撮影駒を表示してレイアウトするようにしたが、ここで画像モニタ１３上の表示を現在光源３３にて照射されている駒のみにして、規定の位置に対応したレイアウト情報をその都度、銀塩フィルム１９のその駒の磁気記録層に磁気記録するようにすれば、メモリ１１は不要である。
【０１０３】
さらに、画像モニタ１３、再生回路１２、制御回路１８、編集情報入力部１４や後処理情報入力部３６等の編集情報の入力部等を市販のパーソナルコンピュータやファミリーコンピュータ等を使用し、レイアウト機能をパーソナルコンピュータソフト、ファミリーコンピュータソフト等で制御するようにしても良い。
【０１０４】
次に、本発明に係る第３実施形態の現像済フィルムから写真を編集するレイアウト情報を用いたプリント装置について説明する。
【０１０５】
図１３は、第３実施形態のレイアウト情報を用いたプリント装置の構成を示す図である。  上記第２実施形態では、現像済の銀塩フィルム１９の画像を画像モニタ１３で確認しながら編集情報を入力するようにしたが、本第３実施形態ではモニタを使用せずに編集情報を入力するものであり、ほぼ図９に示した第２実施形態の構成から画像再生手段を削除した構成となっている。
【０１０６】
このプリント装置は、現像処理済みの銀塩フィルム１９、この銀塩フィルム１９に塗布された磁気記録層に情報を記録するための磁気ヘッド等から成る磁気記録部５、この磁気記録層に記録された編集情報を読み取る磁気読取回路２０、銀塩フィルム１９を給送するフィルム給送部２１から構成される。
【０１０７】
さらに、このプリント装置は、撮影終了後に編集情報を入力するための編集情報入力部１４、この編集情報入力部１４によって入力される編集情報を表示する表示器３７、このプリント装置全体の動作の制御を行うマイクロコンピュータ等から成る制御回路１８から構成されている。
【０１０８】
なお、上記編集情報は、不図示のカメラスイッチ、例えば、トリミングスイッチ等のキー入力情報や日付情報、露出情報等の編集にあたって使用される情報である。
【０１０９】
また、このプリント装置は、銀塩フィルム１９に撮影されている内容が確認できるような写真、または、文字で表示されており、通常、ラボラトリから現像済の銀塩フィルム１９と共にユーザに返却されるインデックスシート３８、作成されるアルバムシートの見本となる見本シート３９を必要とする。
【０１１０】
次に、第３実施形態のレイアウト情報を用いたプリント装置におけるレイアウトの編集作業の処理について説明する。
【０１１１】
図１４の（ａ）は、第３実施形態のプリント装置におけるレイアウトの編集作業処理を説明するために示すフローチャートである。
【０１１２】
ラボラトリより返却されたパトローネ入りの現像済の銀塩フィルム１９を本プリント装置にセットする。
【０１１３】
まず、インデックスシート３８を見ながら、希望駒まで銀塩フィルム１９を給送する  （ステップＳ７１）。
【０１１４】
駒情報は銀塩フィルム１９の磁気記録層に記録されているので、磁気読取回路２０により読み取ることで自動的に希望駒を選ぶことができる。
【０１１５】
さらに、銀塩フィルム１９の磁気記録層に記録されている旧編集情報を読み取り（ステップＳ７２）、表示器３７の、例えば、ドットマトリクスタイプのＬＣＤやＬＥＤ等に表示する（ステップＳ７３）。
【０１１６】
図１４の（ｂ）は、このときの表示器３７の表示例について説明するために示す図である。
【０１１７】
ここで、ユーザにより上記旧編集情報をオーバーライト（上書き）するか否かが判断され（ステップＳ７４）、オーバーライトしない場合は、ステップＳ７１へ戻り、オーバーライトする場合は、その駒をアルバムシートのどの位置にレイアウトするかが決定され入力される（ステップＳ７５）。
【０１１８】
図１４の（ｃ）は、このときに用いられるアルバム見本シート３９を説明するために示す図である。
【０１１９】
例えば、２駒目をアルバムシート上のＢの位置にレイアウトしたいときは、２Ｂと編集情報入力部より入力する。
【０１２０】
次に、制御回路１８は、フィルム給送部２１により銀塩フィルム１９を給送させながら（ステップＳ７６）、銀塩フィルム１９のその駒の磁気記録層に編集情報を磁気記録部５により磁気記録させる（ステップＳ７７）。
【０１２１】
続けて編集を行う場合は次の駒に進むためにステップＳ７１へ戻り、編集を行わない場合は本処理を終了する（ステップＳ７８）。
【０１２２】
図１５は、第３実施形態のレイアウト情報を用いたプリント装置におけるレイアウトの編集作業の処理の変形例を示すフローチャートである。
【０１２３】
このレイアウトの処理は、図１４の（ａ）に示したレイアウトの処理において、旧編集情報の読み取り、表示を行わない場合であり、ステップＳ７２〜ステップＳ７４を削除した処理である。
【０１２４】
ラボラトリより返却されたパトローネ入りの現像済の銀塩フィルム１９を本プリント装置にセットする。
【０１２５】
まず、インデックスシート３８を見ながら、希望駒まで銀塩フィルム１９を給送させる（ステップＳ８１）。
【０１２６】
駒情報は銀塩フィルム１９の磁気記録層に記録されているので、磁気読取回路２０により読み取ることで自動的に希望駒を選ぶことができる。
【０１２７】
ここで、ユーザによりこの希望駒をアルバムシートのどの位置にレイアウトするかが決定され入力される（ステップＳ８２）。
【０１２８】
続いて、制御回路１８は、フィルム給送部２１により銀塩フィルム１９を給送させながら（ステップＳ８３）、銀塩フィルム１９のその駒の磁気記録層に編集情報を磁気記録部５により磁気記録させる（ステップＳ８４）。
【０１２９】
続けて編集を行う場合は、次の駒に進むためにステップＳ８１へ戻り、編集を行わない場合は本処理を終了する（ステップＳ８５）。
【０１３０】
次に、本発明に係る第４実施形態の特別な装置なしにアルバムシートを作る場合について説明する。
【０１３１】
図１６の（ａ）は、第４実施形態の特別な装置を使用せずにアルバムシートを作る場合の構成を示す図である。
【０１３２】
この第４実施形態の構成は、インデックスシート３８、現像済の銀塩フィルム１９、裏側等に駒Ｎｏが付記された１駒ずつプリントされたプリント（写真）４０、アルバムシートを注文する時に使用するアルバム注文用紙４１から構成される。そして、この結果、作成されるのがアルバムシート４２である。
【０１３３】
まず、ユーザはインデックスシート３８、または、現像済の銀塩フィルム１９、または、駒Ｎｏ付きのプリント４０を見ながら、希望する駒及びその駒の希望するレイアウト位置をアルバム注文用紙４１に手書きで書き込む。
【０１３４】
図１６の（ｂ）は、このアルバム注文用紙４１についての一例を説明するために示す図である。
【０１３５】
次に、ユーザはこのアルバム注文用紙４１と現像済の銀塩フィルム１９を合わせてラボラトリに提出すれば、ラボラトリにて上述の第２実施形態、第３実施形態等の装置を用いて希望位置に写真がレイアウトされたアルバムシート４２が作成され、ユーザはそのアルバムシート４２を受け取ることができる。
【０１３６】
なお、本発明の上記実施態様によれば、以下のごとき構成が得られる。
【０１３７】
（１）  被写体像を銀塩フィルムに露光するための露光手段と、
上記銀塩フィルム上の情報記録部に、２以上の静止画像を１枚のシートにプリントするためのレイアウト情報を記録するための情報記録手段と、
を具備したことを特徴とするカメラ。
【０１３８】
上記（１）に記載のカメラによれば、撮影時にレイアウト情報を記録することができ、このレイアウト情報に従って１枚のシートにプリントすることが可能となるので、手作業でプリントをアルバムに貼る必要がなくなる。
【０１３９】
（２）  撮像手段とこの撮像手段によって取り込まれた画像を表示するためのモニタ手段を有する上記（１）に記載のカメラ。
【０１４０】
上記（２）に記載のカメラによれば、モニタ画面にてレイアウト情報を見ることが可能となる。
【０１４１】
（３）  上記レイアウト情報を手動入力するための手段を有することを特徴とする上記  （１）または（２）に記載のカメラ。
【０１４２】
上記（３）に記載のカメラによれば、撮影者の好みに応じて撮影した被写体像を自在にレイアウト変更することができる。
【０１４３】
（４）  被写体像を静止画像として記録する画像記録手段と、
上記画像記録手段に記録された静止画像を写真としてプリントするプリンタ手段と、
を具備し、
上記プリンタ手段は少なくとも２つ以上の上記静止画像を１枚のシートにプリントすることを特徴とするプリント装置。
【０１４４】
上記（４）に記載のプリント装置によれば、１枚のシートにプリントすることが可能となるので、手作業でプリントをアルバムに貼る必要がなくなる。
【０１４５】
（５）  被写体像を静止画像として記録する銀塩フィルムと、
上記銀塩フィルムに画像以外の情報を記録する情報記録手段と、
上記銀塩フィルムに記録された静止画像を写真としてプリントするプリンタ手段と、
を具備し、
上記プリンタ手段は上記情報記録手段によって記録されたレイアウト情報に基づいて少なくとも２つ以上の上記静止画像を１枚のシートにプリントするプリント装置。
【０１４６】
上記（５）に記載のプリント装置によれば、情報記録手段によって銀塩フィルム上に記録されたレイアウト情報に従ってプリントすることができる。
【０１４７】
（６）  上記レイアウト情報が無効もしくは未記録の場合は自動的に撮影順にレイアウトする制御回路を有する上記（５）に記載のプリント装置。
【０１４８】
上記（６）に記載のプリント装置によれば、銀塩フィルムに記録された静止画像のプリントの自動レイアウトができる。
【０１４９】
（７）  銀塩フィルム上に被写体像を結像させるための第１光学系と、
上記被写体像を記録するための撮像素子と、
上記撮像素子上に上記被写体像を結像させるために上記第１光学系とは別に設けられるか、もしくは上記第１光学系と一部を共用した第２光学系と、
撮影動作に連動して上記銀塩フィルム上に露光を行う露出手段と、
上記撮影動作に連動して上記撮像素子上の上記被写体像を記憶するメモリと、
上記メモリに記憶された上記被写体像を再生するモニタと、
上記銀塩フィルム上に情報を記録するための情報記録手段と、
上記銀塩フィルムを現像、プリントし１枚のアルバムシートにする時に必要なレイアウト情報を上記情報記録手段を用いて記録させる制御手段と、
を具備することを特徴とするカメラ。
【０１５０】
上記（７）に記載のカメラによれば、カメラにおいてレイアウト情報を撮影時に記録することが可能となる。
【０１５１】
（８）  上記制御手段は、上記銀塩フィルムを現像、プリントし１枚のアルバムシートにする時に必要なレイアウト情報を上記モニタ上に再生された被写体像から決定し上記情報記録手段を用いて記録させることを特徴とする上記（７）に記載のカメラ。
【０１５２】
上記（８）に記載のカメラによれば、モニタ画面を見ながらプリントのレイアウト編集を行うことができる。
【０１５３】
（９）  上記レイアウト情報に基づいて上記アルバムシートをプリントするプリンタ手段を具備し、
上記レイアウト情報が無効もしくは未入力の場合でも自動的にレイアウトする制御回路を具備することを特徴とする上記（７）に記載のプリント装置。
【０１５４】
上記（９）に記載のプリント装置によれば、カメラを用いてレイアウト情報を記録した場合に、レイアウト情報が無効もしくは未入力であっても自動的にプリント装置においてレイアウト編集を行うことができる。
【０１５５】
（１０）  情報記録部を有し、被写体像を静止画像として記録された銀塩フィルムを使用する編集装置において、
複数の静止画像を１枚のシートにプリントする際に必要なレイアウト情報を設定する設定手段と、
この設定手段によって設定された上記レイアウト情報を上記情報記録部に記録する情報記録手段と、
を具備したことを特徴とする編集装置。
【０１５６】
上記（１０）に記載の編集装置によれば、カメラからフィルムを取り出した後であっても、プリントのレイアウト編集を行うことができる。
【０１５７】
（１１）  上記銀塩フィルムに記録された上記静止画像をモニタ上に再生する画像再生手段を具備する上記（１０）に記載の編集装置。
【０１５８】
上記（１１）に記載の編集装置によれば、モニタ画面を見ながらレイアウト編集を行うことができる。
【０１５９】
（１２）  上記画像再生手段は、現像済フィルムの静止画像を撮像素子上に結像させるための光学系と、
上記撮像素子からのイメージ信号に基づいてモニタに画像を表示する表示手段とを具備する上記（１１）に記載の編集装置。
【０１６０】
上記（１２）に記載の編集装置によれば、現像済フィルムを用いてプリントのレイアウト編集を行うことができる。
【０１６１】
（１３）  被写体像を静止画像として記録する銀塩フィルムと、
上記銀塩フィルム上の磁気記録層に画像以外の情報を記録する情報記録手段と、
上記銀塩フィルムの現像済静止画像を撮像素子上に結像させるための光学系と、
上記撮像素子上の静止画像を再生するモニタと、
上記静止画像をプリントし、１枚のアルバムシートにする時に必要なレイアウト情報を上記情報記録手段に入力するための入力手段を具備し、
上記レイアウト情報は撮影順または指定駒を除いて撮影順に自動レイアウトすることを特徴とする編集装置。
【０１６２】
上記（１３）に記載の編集装置によれば、撮影順または指定駒を除いて撮影順に自動的にレイアウト編集を行うことができる。
【０１６３】
（１４）  被写体像を静止画像として記録する画像記録手段と、
上記画像記録手段に記録された静止画像を写真としてプリントするプリンタ手段と、
アルバム上の写真レイアウト位置を指定するレイアウト指定手段と、
を具備し、
上記プリンタ手段は上記レイアウト指定手段に基づいて少なくとも２以上の静止画像を１枚のシートにプリントすることを特徴とする編集装置。
【０１６４】
上記（１４）に記載のプリント装置によれば、２つ以上の静止画像がプリントされた１枚のシートを得ることができる。
【０１６５】
（１５）  上記レイアウト指定手段は、紙に書かれたレイアウト情報を手動で入力されることを特徴とする上記（１４）に記載の編集装置。
【０１６６】
上記（１５）に記載のプリント装置によれば、特別な装置を持たなくてもプリントのレイアウト情報を入力することができる。
【図面の簡単な説明】
【０１６７】
【図１】図１は、第１実施形態のレイアウト情報記録可能なカメラの構成を示す図である。
【図２】図２は、第１実施形態のレイアウト情報記録可能なカメラの編集作業の処理を示すフローチャートである。
【図３】図３は、第１実施形態での画像モニタ１３上に静止画像として表示される一例を示す図である。
【図４】図４は、第１実施形態によるレイアウト情報を用いたプリント装置の構成を示す図である。
【図５】図５は、第１実施形態のレイアウト情報を用いたプリント装置のプリント処理の動作を示すフローチャートである。
【図６】図６は、第１実施形態のプリント装置にてプリントしたアルバムシートの一例を示す図である。
【図７】図７は、第１実施形態のレイアウト情報記録可能なカメラの編集作業の他の処理例を示すフローチャートである。
【図８】図８は、第１実施形態のカメラ及びプリント装置でのアルバムシートの編集例を示す図である。
【図９】図９は、第２実施形態によるレイアウト情報を用いたプリント装置の構成を示す図である。
【図１０】図１０は、第２実施形態のレイアウト情報を用いたプリント装置でのマニュアルレイアウトの編集作業の処理を示すフローチャートである。
【図１１】図１１は、第２実施形態のレイアウト情報を用いたプリント装置でのマニュアルレイアウトの編集作業時の画像モニタ１３の表示を示す図である。
【図１２】図１２は、第２実施形態のレイアウト情報を用いたプリント装置での自動レイアウトの編集作業の処理を示すフローチャートである。
【図１３】図１３は、第３実施形態によるレイアウト情報を用いたプリント装置の構成を示す図である。
【図１４】図１４は、第３実施形態によるレイアウト情報を用いたプリント装置によるレイアウトの編集作業の処理を示すフローチャートと、このときの表示器３５の表示例を示す図である。
【図１５】図１５は、第３実施形態によるレイアウト情報を用いたプリント装置によるレイアウトの編集作業の処理の変形例を示すフローチャートである。
【図１６】図１６は、第４実施形態の特別な装置を使用せずにアルバムシートを作る場合の構成を示す図と、ここで使用されるアルバム注文用紙４１の一例を示す図である。
【符号の説明】
【０１６８】
１…撮影レンズ、
２…シャッタ、
３…シャッタ制御回路、
４…銀塩フィルム、
５…磁気記録部、
６…レンズ制御部、
７…レンズ、
８…撮像部、
９…レンズ制御部、
１０…信号処理回路、
１１…メモリ、
１２…再生回路、
１３…画像モニタ、
１４…編集情報入力部、
１５…編集機能メモリ、
１６…編集モード入力回路、
１７…編集情報メモリ、
１８…制御回路、
１９…銀塩フィルム、
２０…磁気読取回路、
２１…フィルム給送部、
２２…フィルム情報検出回路、
２３…ランプ、
２４…光源制御回路、
２５…レンズ、
２６…マスク、
２７…印画紙、
２８…レンズ、
２９…マスク、
３０…印画紙情報読取回路、
３１…印画紙制御部、
３２…プリンタ制御回路。
【図１】
2005292826.tif 000003
【図２】
2005292826.tif 000004
【図３】
2005292826.tif 000005
【図４】
2005292826.tif 000006
【図５】
2005292826.tif 000007
【図６】
2005292826.tif 000008
【図７】
2005292826.tif 000009
【図８】
2005292826.tif 000010
【図９】
2005292826.tif 000011
【図１０】
2005292826.tif 000012
【図１１】
2005292826.tif 000013
【図１２】
2005292826.tif 000014
【図１３】
2005292826.tif 000015
【図１４】
2005292826.tif 000016
【図１５】
2005292826.tif 000017
【図１６】
2005292826.tif 000018